(57)【要約】【課題】  本発明は、感度が良好で、チューブカバー等で被覆しなくとも単体で使用することができ、チューブカバーへの挿入も容易で、また曲折配線のできるフィルムスイッチを新規に提供するものである。【解決手段】  本発明は、上片の内面に小幅の絶縁部を挟んで多数の分断型の導電面を直列に設けるとともに、該上片に窓孔を並設して下片下に延長折り当て接着し、該下片の他端の上方への折返しにより各窓孔下を通って前記導電面に反撥当接して架橋導電する多数のコ形細片を設け、該コ形細片のいずれかひとつの押し下降にて前記の導電面間を絶縁するようにし、また各窓孔間に曲折用の細溝を設け、且つ上片または下片の内面に導電面に対応して戻りの導電面を設けたフィルムスイッチにある。【選択図】  図１
2006313661.tif 000002
【特許請求の範囲】
【請求項１】
上片の内面に小幅の絶縁部を挟んで多数の分断型の導電面を直列に設けるとともに、該上片に窓孔を並設して下片下に延長折り当て接着し、該下片の上方への折返しにより各窓孔下を通って前記導電面に反撥当接して架橋導電する多数のコ形細片を設け、該コ形細片のいずれかひとつの押し下降にて前記の導電面間を絶縁するようにしたことを特徴とするフィルムスイッチ。
【請求項２】
各窓孔間に曲折用の細溝を設けた請求項１に記載のフィルムスイッチ。
【請求項３】
上片または下片の内面に導電面に対応して戻りの導電面を設ける請求項１または２に記載のフィルムスイッチ。
【発明の詳細な説明】
【技術分野】
【０００１】
この発明はフィルムスイッチに関するものである。
【背景技術】
【０００２】
この種のフィルムスイッチとしては、特願２００４−１６０４８８号がある。該特許願はばね反撥力を有す絶縁フィルムを上下に折り曲げて、上片と中間片の端部に相対して設ける電極を上方からの押し下降にて離間させ、押しの解除にて下方の電極を上方の電極にばね反撥接触するようにしている。
【特許文献１】特願２００４−１６０４８８
【発明の開示】
【発明が解決しようとする課題】
【０００３】
しかしながら、上記のフィルムスイッチは中間片を表出させる関係で上片は中間片の半分以下の幅長であって、しかもその端部をフリー端としているために、絶縁フィルムの反撥性向によって上方にそりはねるという課題があり、従ってチューブカバー内に挿入して上片のそりはねを正さないと使用することができないという課題がある。しかも上片のそりはねにてチューブ内に挿入することも容易でないという課題がある。
【０００４】
また、中間片は上片とともにフィルムスイッチ方向に長いことから、特に押し下降の感度を緩慢にしているという課題がある。
【課題を解決するための手段】
【０００５】
本発明は、上片に窓孔を設けて下片下に延長折り当て接着するようにして、半分等に短くしかもフリー端によって生じていたそりはねを解消してカバーチューブに挿入しやすくするとともに、チューブ内に入れない裸の状態でも使用できるようにし、また架橋用の中間片を多数のコ形細片にして押し下降の感度を向上させるようにし、且つ各窓孔間に細溝を設けて曲げやすくして、かかる課題を解決するようにしたのである。
【発明の効果】
【０００６】
本発明は以上のようにして上片に窓孔を設けて下片下に折り返して接着したので、フィルムの反撥性によって生じていた上片のそりはねを解消してチューブカバー内に円滑に挿入することができるという効果を生ずる。
【０００７】
上片のそりはねが防止されることでフィルムスイッチは裸のままで使用することができるという効果を生ずる。
【０００８】
導電面間を架橋導電する中間片をコ形細片にしたので、押し下降と反転上動の感度を著しく良好にするという効果を生ずる。
【０００９】
ノーマル・クローズ、すなわち、絶縁部を有す導電面間を常態では架橋導電してなるスイッチ構成によって断線検知回路等を不要にするという効果がある。
【００１０】
本発明のフィルムスイッチは看護用のベッドセンサー、自動車のバンパースイッチ、各種の防犯スイッチおよびマットスイッチとして使用することで顕著な効果を生ずる。
【００１１】
戻りの導電面を設けることで、２つの端子を近くに揃えて設けることができるという効果を生ずる。
【発明を実施するための最良の形態】
【００１２】
本発明は、上片の内面に小幅の絶縁部を挟んで多数の分断型の導電面を直列に設けるとともに、該上片に窓孔を並設して下片下に延長折り当て接着し、該下片の上方への折返しにより各窓孔下を通って前記導電面に反撥当接して架橋導電する多数のコ形細片を設け、該コ形細片のいずれかひとつの押し下降にて前記の導電面間を絶縁するようにし、各窓孔間に曲折用の細溝を設け、また、上片または下片の内面に導電面に対応して戻りの導電面を設けてフィルムスイッチを形成するのである。
【実施例１】
【００１３】
図１に示すように、長手のフィルムスイッチ１は反撥性を有す絶縁フィルムの上片２に多数の窓孔３と各窓孔３間に細溝４を設けて下片５下に延長折返して接着する。２ａは延長折返しによる接着面である。６は上片２の基側の内面に印刷等にて設けた直列の導電面で、窓孔３を２つ合わせた長さごとに細溝４により小幅にて分断して絶縁されている。７は下片５の他端から下片上に折返された架橋用のコ形細片で窓孔３下を通って導電面６に反撥接触して、分断して絶縁されている２つの導電面６間を架橋して全長を導電するようにしている。図２はフィルムスイッチ１の回路構成を示すもので、端子８ａ，８ｂは図２（a）に示すように導電面６の両端に設けられ、また戻りの導電面６ａを設けるときは図２（ｂ）に示すように、フィルムスイッチ１の一端に端子８ａ，８ｂを近くに揃えて設けることができる。
【００１４】
以上にてフィルムスイッチ１を形成し、裸のままで使用する場合と、図６に示すようにチューブカバー９内に挿通して使用することがある。
【００１５】
フィルムスイッチ１は常態では、図３（ａ）に示すようにコ形細片７の反撥にて導電面６のすべてを架橋して導電状態にしているが、図３（ｂ）に示すように窓孔３下のひとつのコ形細片７を押し下降させるとそのコ形細片７は導電面６より離れて絶縁状態となる。どの位置のコ形細片７が押し下降しても導電面のすべて、すなわち全長が非導電となる。実際には図３（ｃ）に示すように窓孔３の側縁である上片２もたわんでコ形細片７の押し下降を助成することとなる。
【００１６】
フィルムスイッチ１は曲折用の細溝４をもとにして図４（ｂ）に示すように折り曲げて配線することができる。
【００１７】
しかして本発明のフィルムスイッチ１は断線を検知した信号によって警報を発し、また自動停止の制御に役立てるのである。曲げることができることから、図５（a）に示すように無人搬送車１０のバンパー１０ａに取付けてバンパースイッチとして使用する例がある。
【００１８】
また図５（ｂ）に示すようにフィルムスイッチ１をベッド１１上に敷いてベッドセンサーとして使用するのである。患者がベッド１１上にいるとその押圧によってコ形細片７は押されて導電面間を絶縁しているが、患者がベッド１１から落ちたり不在になるとコ形細片７が導電面６に反撥接触して全長を導電状態とするので警報（図示してない）等が作動して患者の不在をしかるべき部署に知らせることとなる。
【００１９】
またフィルムスイッチ１を多数本並列することで、図５（c）に示すように検知範囲の広く大きいマットスイッチ１２にすることもできる。
【産業上の利用可能性】
【００２０】
本発明のフィルムスイッチは、押し下降により非導電を検知してスイッチ作用をさせるほか、押しの解除による導電常態を検知してスイッチ作用をさせることができることから、長さを有すスイッチとして用途は広く各方面にて広範に利用することができるものである。
【図面の簡単な説明】
【００２１】
【図１】（ａ）はフィルムスイッチの部分斜視図、（ｂ）は同、部分平面図
【図２】（ａ）は回路図、（ｂ）は戻りの導電面を設けた例の回路図
【図３】（ａ）はコ形細片が導電面に反撥接触して導電面間を架橋導電している状態を示す拡大断面図、（ｂ）は押し下降による絶縁状態を示す拡大断面図、（ｃ）は窓孔の側縁の押し下降による助成を示す拡大断面図
【図４】（ａ）はフィルムスイッチの細溝部分の拡大側面図、（ｂ）は同、折り曲げ例を示す部分拡大側面図
【図５】（a）は無人搬送車のバンパースイッチとしての使用例を示す斜視図、（ｂ）はベッドセンサーとしての使用例を示す斜視図、（c）はマットスイッチとしての使用例を示す斜視図
【図６】フィルムスイッチをチューブカバー内に挿入した例を示す拡大断面図
【符号の説明】
【００２２】
１はフィルムスイッチ
２は上片
２ａは上片の折返しによる接着面
３は窓孔
４は細溝
５は下片
６は導電面
７はコ形細片
８ａ，８ｂは端子
９はチューブカバー
１０は無人搬送車
１０ａはバンパー
１１はベッド
１２はマットスイッチ
【図１】
2006313661.tif 000003
【図２】
2006313661.tif 000004
【図３】
2006313661.tif 000005
【図４】
2006313661.tif 000006
【図５】
2006313661.tif 000007
【図６】
2006313661.tif 000008